(57)【要約】【課題】簡単な構成で組立精度の高い且つ光軸方向の薄型化を維持できる光量調節装置及びそれを搭載したカメラを提供する。【解決手段】組立治具３５の６本の位置決めピン３６は、その内側の接線を結んで形成される矩形形状が基板２６、スペーサ２５及び押さえ板２３の外形寸法と一致するように予め形成されている。シャッタ装置２１の組立時には帯状電極の配設された基板２６とスペーサ２５を組立治具３５の位置決めピン３６の内面に合わせて重ねて入れ、エレクトレットを施されている遮光幕２４をスペーサ２５の枠内に収容し、その上に押さえ板２３を重ねて入れた後、基板２６、スペーサ２５、押さえ板２３の外周面を接着剤により固定する。【選択図】      図９
2006038887.tif 000002
【特許請求の範囲】
【請求項１】
予め所定の間隔で分極された遮光幕と、該遮光幕を駆動するための帯状電極と、光学的開口を有する基板と、光学的開口を有し前記遮光幕を基板との間に移動可能に保持する押さえ板と、前記基板と前記押さえ板との間隔を維持する間隔維持部材と、で構成される光量調節装置であって、
前記基板、前記押さえ板、前記間隔維持部材のお互いの位置を決めるための位置決め機能を、前記基板、前記押さえ板、前記間隔維持部材のいずれか又は全てに設けたことを特徴とする光量調節装置。
【請求項２】
前記位置決め機能は、前記基板、前記押さえ板、及び前記間隔維持部材のいずれか又は全てにおける、前記遮光幕の移動面に垂直な外周側面であることを特徴とする請求項１記載の光量調節装置。
【請求項３】
前記位置決め機能は、前記間隔位置部材の縁部に沿って内側に形成された段差部の前記遮光幕の移動面に垂直な内周面と、前記基板及び前記押さえ板の前記遮光幕の移動面に垂直な外周面と、であることを特徴とする請求項１記載の光量調節装置。
【請求項４】
前記位置決め機能は、前記間隔維持部材に設けられた前記遮光幕の移動面に垂直な突起部と、前記基板及び前記押さえ板の前記遮光幕の移動面に垂直な外周面と、であることを特徴とする請求項１記載の光量調節装置。
【請求項５】
前記基板及び前記押さえ板は、互いに厚み方向に位置決めするための部位を備えていることを特徴とする請求項１記載の光量調節装置。
【請求項６】
前記位置決めするための部位は、前記遮光幕の移動面に平行し、前記遮光幕の移動範囲外に位置している面であることを特徴とする請求項１記載の光量調節装置。
【請求項７】
請求項１〜６記載の光量調節装置を光学系のシャッタ位置又は絞り位置に搭載したことを特徴とするカメラ。
【発明の詳細な説明】
【技術分野】
【０００１】
本発明は、簡単な構成で組立精度の高い且つ光軸方向の薄型化を維持できる光量調節装置及びそれを搭載したカメラに関する。
【背景技術】
【０００２】
近年、光学レンズなどを用いて結像させた被写体像をＣＣＤ（Charge Coupled Device ）などの撮像素子で電気信号に変換し、記録媒体に撮像画像として記録する電子カメラが広く普及している。
【０００３】
一般に、カメラには銀塩フィルム用カメラや電子カメラのいずれにおいても、被写体からの光路上の光学的開口部に、被写体からの光量を調節するための絞りや被写体の瞬時の像を捉えるためのシャッタを設けることが必要である。またシャッタの動作は連続撮影に即応できるほど良いことも、つとに知られている。
【０００４】
そのようなカメラのシャッタや絞りのような光量調節装置の駆動制御に誘導電荷型アクチュエータを用いる例も提案されている。その光量調節装置としては、１個のステータ（固定子、基板）に対しスライダ（移動子、遮光幕）が１個のものと２個のものがあり、いずれもスライダをシャッタ羽根又は絞り羽根として機能させるべく基板上にスライダ駆動用の帯状電極を設けた技術が開示されている。（例えば、特許文献１参照。）
【特許文献１】特開平０８−２２０５９２号公報（［要約］、図１、［００１１］、図２）
【発明の開示】
【発明が解決しようとする課題】
【０００５】
ところで、特許文献１のようにステータとスライダから成るアクチュエータを、シャッタ（又は絞り、以下同様）装置として構成するためには、シャッタ幕を、ステータと押さえ板との間に移動可能な間隔で保持すると共に、シャッタ装置を構成する各部材をお互いに正確に位置決めして組み立てる必要がある。
【０００６】
ところが、特許文献１には、そのようなステータとスライダと押さえ部材の各部材を位置決めして組み立てることについては何らの開示も示唆もない。
本発明の課題は、上記従来の実情に鑑み、簡単な構成で組立精度の高い且つ光軸方向の薄型化を維持できる光量調節装置及びそれを搭載したカメラを提供することである。
【課題を解決するための手段】
【０００７】
先ず、第１の発明の光量調節装置は、予め所定の間隔で分極された遮光幕と、該遮光幕を駆動するための帯状電極と、光学的開口を有する基板と、光学的開口を有し上記遮光幕を基板との間に移動可能に保持する押さえ板と、上記基板と上記押さえ板との間隔を維持する間隔維持部材と、で構成される光量調節装置であって、上記基板、上記押さえ板、上記間隔維持部材のお互いの位置を決めるための位置決め機能を、上記基板、上記押さえ板、上記間隔維持部材のいずれか又は全てに設けて構成される。
【０００８】
上記位置決め機能は、例えば、上記基板、上記押さえ板、及び上記間隔維持部材のいずれか又は全てにおける、上記遮光幕の移動面に垂直な外周面であるように構成され、また、例えば、上記間隔位置部材の縁部に沿って内側に形成された段差部の上記遮光幕の移動面に垂直な内周面と、上記基板及び上記押さえ板の上記遮光幕の移動面に垂直な外周面と、で構成され、また、例えば、上記間隔維持部材に設けられた上記遮光幕の移動面に垂直な突起部と、上記基板及び上記押さえ板の上記遮光幕の移動面に垂直な外周面と、で構成される。
【０００９】
また、この光量調節装置において、上記基板及び上記押さえ板は、例えば、互いに厚み方向に位置決めするための部位を備えて構成される。この場合、上記位置決めするための部位は、上記遮光幕の移動面に平行し、上記遮光幕の移動範囲外に位置している面で構成されることが好ましい。
【００１０】
次に、第２の発明のカメラは、上記の光量調節装置を光学系のシャッタ位置又は絞り位置に搭載して構成される。
【発明の効果】
【００１１】
上述したように、本発明によれば、光量調節装置を構成する各部材そのものが、それぞれ位置決めするための部位を備えているので、簡単な構成で組立精度の高い且つ光軸方向の薄型化を維持できる光量調節装置及びそれを搭載したカメラを提供することが可能となる。
【発明を実施するための最良の形態】
【００１２】
以下、本発明の実施の形態を図面を参照しながら説明する。
（実施例１〜３）
図１は、本発明の光量調節装置を搭載したデジタルカメラの概略構成を示す図であり、上にデジタルカメラの前面からの外観を示す斜視図を示し、下にデジタルカメラ内部の主要部の配置状態を透視的に示す斜視図を示している。
【００１３】
図１の上に示すように、デジタルカメラ１は、前面右上隅に撮影レンズ窓２を備え、その左方にストロボ照射窓３を備えている。また、上面の左端部にはレリーズボタン４が設けられている。
【００１４】
そして、図１の下に示すように、デジタルカメラ１の内部は、全体の左方ほぼ２／３を占めて、各種の電子部品を搭載した回路基板５からなる制御装置や着脱交換自在な電池６などが配置されている。そして、その右方の全体のほぼ１／３を占める部分には、ユニット化されたレンズ装置７が配設されている。
【００１５】
レンズ装置７は、図１の上に示す撮影レンズ窓２から図１の下に示す撮影光軸Ｏ１に沿って入射する被写体からの光束を、その撮影光軸Ｏ１がほぼ直角に下方に折り曲がるように反射させ、その下方に折り曲げられた後述する第２の光軸Ｏ２に沿って、上記の入射光束を、レンズ装置７の下端部に配設されている例えばＣＣＤなどからなる撮像素子まで導いて撮像画像を生成する。
【００１６】
図２は、図１の下に示すレンズ装置７のＡ−Ａ´矢視断面をそのデジタルカメラ１の左方から見た図であり、レンズユニット各部の概略の構成を示している。図１の下に示したレンズ装置７の内部には、この図２に示すように上記下方に折り曲げられた第２の光軸Ｏ２に沿って、第１の固定鏡枠部８にレンズ群が保持された第１の固定レンのズ部９、第１の移動鏡枠１１にレンズ群が保持された第１の移動レンズ部１２、第２の移動鏡枠１３にレンズ群が保持された第２の移動レンズ部１４、第３の移動鏡枠１５にレンズが保持された第３の移動レンズ部１６、第２の固定鏡枠部１７にレンズが保持され第２の固定レンズ部１８及びこれらのレンズ部の終端に配置された撮像素子１９とで構成されている。
【００１７】
上記第１の移動レンズ部１２及び第２の移動レンズ部１４は、このレンズ装置７の光学系の第２の光軸Ｏ２に沿って入射する被写体の光束の焦点距離を変化させる、つまりズーム比調節用のために設けられ、第３の移動レンズ部１６は、上記の光束が撮像素子１９上に結像する焦点調節のために設けられている。そして、上記第１の移動レンズ部１２と第２の移動レンズ部１４の間には、シャッタ位置（絞り位置でもある）２０が設けられている。
【００１８】
図３は、図１の下に示したレンズ装置７をデジタルカメラ１の図１の下の図の背面側から見た拡大斜視図である。図３には、レンズ装置７の右に、レンズ装置７に組み付けられているシャッタ装置（又は絞りシャッタ装置）を単独に示している。
【００１９】
図３に示すように、レンズ装置７には、図２に示したシャッタ位置（絞り位置）２０にシャッタ装置（又は絞りシャッタ装置）２１が組み込まれている。シャッタ装置（又は絞りシャッタ装置）２１は、図３の右に示すように、矩形の平らな板状体をなす装置であり、第２の光軸Ｏ２の透過路となる光学的開口部２２を備えている。そして、このシャッタ装置（又は絞りシャッタ装置）２１の光学的開口部２２を透過する第２の光軸Ｏ２の終端すなわちレンズ装置７の下端部には、図２にも示した撮像素子１９が配置されている。
【００２０】
図４は、上記レンズ装置７に組み込まれるシャッタ装置２１の基本構成を示す分解斜視図である。同図に示すようにシャッタ装置２１は、押さえ板２３、遮光幕２４、間隔位置部材としてのスペーサ２５、及び基板２６が積層されて構成されている。
【００２１】
押さえ板２３は、例えば金属又はセラミック等からなり、図３の右の図に示した光学的開口２２を備え、基板２６と共にスペーサ２５を前後から挟んで接着等により固定されている、スペーサ２５の枠内には、遮光幕２４が収容され移動可能に保持される。遮光幕２４には、図では定かに見えないが予め所定のピッチで電気的に分極された後述するエレクトレットが施されている。
【００２２】
基板２６は、例えば透明な部材（例えばガラス板）から成り、押さえ板２３の光学的開口２２に対応する位置に設定されている光学的開口２７を除く全面に、遮光幕２４を駆動するための帯状電極２８が設けられている。
【００２３】
ここで、本発明における絞り装置（又は絞りシャッタ装置）における遮光幕を駆動する駆動原理を説明する。
図５は、本発明のシャッタ装置（又は絞りシャッタ装置）の駆動原理を説明する図である。尚、以下の駆動原理の説明では、基板２６に代えて固定子２６と言い、遮光幕２４に代えて移動子２４と言うことにする。また、遮光幕を駆動する機構をシャッタ機構ということにする。
【００２４】
本シャッタ機構は、基本的に固定子２６と移動子２４とを備え、移動子２４は、固定子２６に対して図５の上と下に示すように左右方向に移動自在に構成されている。そして、固定子２６には、被写体からの光像を撮像素子（図２、図３の撮像素子１９参照）に導くための開口部（光学的開口部２７）が設けられ、更に、複数の帯状電極２８が所定の間隔で並べて形成されている。他方の移動子２４は、遮光性を有する部材であり、永久分極された誘電体の部位を備えている。このような移動子２４の構成はエレクトレットと呼ばれている。
【００２５】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００２６】
上記のシャッタ機構において、帯状電極２８に正負の電圧を周期的に印加すると、帯状電極２８と移動子２４の上記エレクトレットとの間に吸引力又は反発力が発生し、結果的に移動子２４が固定子２６に対して相対移動する。
【００２７】
したがって、移動子２４が固定子２６の開口部（光学的開口部２７）を開放又は遮蔽するように移動可能にすることによってシャッタ機構を構成することができる。図５の上はシャッタが開の状態を示し、図５の下はシャッタが閉の状態を示している。以下、本構成に係るシャッタ機構を「エレクトレットシャッタ」と称することにする。
【００２８】
なお、固定子２６の開口部（光学的開口部２７）は、必ずしも貫通孔のような物理的な開口部とする必要はなく、固定子２６を透過部材とし、開口部に相当する位置に帯状電極２８が設けられていない透過領域を形成するようにしても良い。
【００２９】
図６は、エレクトレットシャッタとその駆動回路を模式的に示す図である。同図は右にエレクトレットシャッタの断面を模式的に示し、左に駆動回路をブロック図で示している。同図に示すように、固定子２６に並べられたそれぞれの帯状電極２８には、駆動（電圧印加）回路２９からの電圧信号線が接続されている。この電圧信号線には４相の電圧信号が印加され、従って、帯状電極２８には、４本毎に同一の電圧信号が印加される。図６では、帯状電極２８にＡ、Ｂ、Ｃ、Ｄの符号を付してこの電圧信号を区別している。
【００３０】
この固定子２６の帯状電極２８の配設面に対向して移動子２４が配置されている。移動子２４は、固定子２６との対向面に永久分極された上述した誘電体（エレクトレット）３１を複数備えている。
【００３１】
同図の左に示す駆動回路２９では、パルス発生回路３２で矩形波列（駆動パルス信号）が生成され、この駆動パルス信号が昇圧回路３３と位相器３４に供給される。昇圧回路３３では、入力した駆動パルス信号を１００Ｖ程度まで昇圧するとともに、２つの極性を有する電圧信号に分岐して、駆動電極Ａ及びＣに供給する。
【００３２】
他方、位相器３４に入力した駆動パルス信号は、９０°位相が遅れた波形となり、その後、昇圧回路３３に入力されて、上述と同様の２つの極性を有する電圧信号に分岐されて駆動電極Ｂ及びＤに供給される。
【００３３】
図７は、駆動回路２９によって生成されて帯状電極２８に印加される電圧信号列を示す図である。帯状電極２８（Ａ、Ｂ、Ｃ、Ｄ）の電圧の状態は、期間Ｔにおけるｔ１〜ｔ４の４つの状態変化が時間ｔにおける期間Ｔごとの経過に対応して繰り返される。
【００３４】
図８は、上記のエレクトレットシャッタの動作を更に説明する図である。図８の(1) は図７において各帯状電極２８（Ａ，Ｂ，Ｃ，Ｄ）の電圧状態が、図７に示したｔ１の印加電圧の状態に切り替った直後のエレクトレットと駆動電極との対応関係を示している。
【００３５】
エレクトレット３１ａは、駆動電極Ａから反発力を受け、駆動電極Ｂから吸引力を受ける。また、エレクトレット３１ｂは、駆動電極Ｃから反発力を受け、駆動電極Ｄから吸引力を受ける。このため、移動子２４は図の右方向に力を受けて、１つの駆動電極ピッチｄだけ移動する。
【００３６】
図８の(2) は、上記に続いて図７に示したｔ２の印加電圧の状態に切り替った直後のエレクトレットと駆動電極との対応関係を示している。エレクトレット３１ａは、駆動電極Ｂから反発力を受け、駆動電極Ｃから吸引力を受ける。また、エレクトレット３１ｂは、駆動電極Ｄから反発力を受け、駆動電極Ａから吸引力を受ける。このため、移動子２４は図の右方向に力を受けて、再び１つの駆動電極ピッチｄだけ移動する。
【００３７】
図８の(3) は、上記に続いて図７に示したｔ３の印加電圧の状態に切り替った直後のエレクトレットと駆動電極との対応関係を示し、図８の(4) は、図８の(3) に続いて図７に示したｔ４の印加電圧の状態に切り替った直後のエレクトレットと駆動電極との対応関係を示している。図８の(1) 及び(2) で説明した動作と同様に、移動子２４は、１つの駆動電極ピッチｄだけ順次移動する。
【００３８】
そして、この動作が繰り返されることにより、移動子２４は図８の右方向に移動する。なお、移動子２４を図８の左方向に移動するためには、帯状電極２８に印加する電圧の極性を逆に切り替えればよい。
【００３９】
このように、本例の移動子２４は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【実施例１】
【００４０】
図９は、左に実施例１としての図４に示したシャッタ装置２１の分解斜視図とその組立治具を示し、右にその組み上がり状態を示している。図９の左上に示すように、組立治具３５には、６本の位置決めピン３６が立設されている。これら各位置決めピン３６の内側の接線を結んで形成される矩形形状は、基板２６、スペーサ２５、及び押さえ板２３の外形寸法と一致（略一致）するように予め形成されている。
【００４１】
シャッタ装置２１の組立時には、図９の左に示す基板２６、スペーサ２５、遮光幕２４、押さえ板２３を順に、組立治具３５の位置決めピン３６の内面に合わせて図９の右に示すように重ね合わせた後、基板２６、スペーサ２５、押さえ板２３の外周面を接着剤により固定する。
【００４２】
このように、本例では、基板２６、スペーサ２５、押さえ板２３の、遮光幕２４の移動面に垂直な外周面（位置決め部位）を基準にして組立治具３５により組立てを行う方法を示している。
【００４３】
尚、この組立時には、遮光幕２４がスペーサ２５の枠内に収容されるように、すなわちスペーサ２５と重ならないように組み込むようにする。また、本実施例では、組立治具３５の位置決め用部材として６本の位置決めピン３６を用いているが、位置決めピン３６の形状は、図のような円柱形状に限定されるものではない。また、基板２６、スペーサ２５又は押さえ板２３の位置決め部位としての外周面を位置決めできる構成であれば、複数本のピンに限定されるものでもない。例えば、組立治具そのものに位置決め形状を機械加工するようにしてもよい。
【実施例２】
【００４４】
図１０は、左上に実施例２としてのシャッタ装置２１´の完成斜視図を示し、中央左下から右上にシャッタ装置２１´の分解斜視図を示し、右にシャッタ装置２１´のＢ−Ｂ´断面拡大矢視図を示している。尚、図１０において、図４の構成と同一の構成部分には図４と同一の番号を付与して示している。
【００４５】
図１０に示すように、本例のシャッタ装置２１´は、押さえ板３７、遮光幕２４、スペーサ３９、及び基板４１が順次積層されて構成される。尚、遮光幕２４がスペーサ３９の枠内に収容されるように、すなわちスペーサ３９と重ならないように組み込まれることは実施例１の場合と同様である。
【００４６】
本例において、スペーサ３９には、その縁部に沿って内側に段差部が形成されており、その段差部により、縁部に沿って内側に遮光幕２４の移動面に垂直な内周面４２（図１０の中央に示す図では押さえ板３７に対向する側の内周面４２の上及び手前側の二辺の周面は、突設する端部の陰になって見えない。同じく、基板４１に対向する側の内周面４２の上及び手前側の二辺の周面は外周面の陰になって見えない）が形成されると共に、同じく縁部に沿って内側に遮光幕２４の移動面に平行な枠面４３（図１０の中央に示す図では押さえ板３７に対向する枠面４３のみが見え、基板４１に対向する枠面４３は図では陰になって見えない）が形成されている。
【００４７】
そして、上記内周面４２に対応する光軸Ｏ２と直角方向の位置決め部位として、基板４１には遮光幕２４の移動面に垂直な外周面４４（図１０の中央に示す図では下と向う側の二辺の外周面４４は図では陰になって見えない）が形成されており、押さえ板３７にも同じく遮光幕２４の移動面に垂直な外周面４５（図１０の中央に示す図では下と向う側の二辺の外周面４５は図では陰になって見えない）が形成されている。
【００４８】
また、上記枠面４３に対応する光軸Ｏ２と平行方向すなわちシャッタ装置２１´の厚み方向の位置決め部位として、基板４１にはスペーサ３９に対向する側の面に遮光幕２４の移動面に平行し且つ遮光幕２４の移動範囲外に位置して縁周囲面４６が形成されており、押さえ板３７にもスペーサ３９に対向する側の面に遮光幕２４の移動面に平行し且つ遮光幕２４の移動範囲外に位置して縁周囲面４７が形成されている。
【００４９】
尚、押さえ板３７の縁周囲面４７は、図１０の中央に示す図では矢印ａで示す矢視側面に形成されており図では陰になって見えないが破線による仮想線によって範囲を示している。また、押さえ板３７及び基板４１が、スペーサ３９の内周面４２と枠面４３とで形成される段差部に確実に収まるように、それぞれ外周面の角部には面取り４８が施されている。
【００５０】
このように、本例では、スペーサ３９に対し、基板４１及び押さえ板３７の遮光幕２４の移動面に垂直な外周面４４及び４５を光軸Ｏ２と直角方向の位置決め部位とし、基板４１及び押さえ板３７の遮光幕２４の移動面に平行する縁周囲面４６及び４７を光軸Ｏ２と平行方向すなわちシャッタ装置２１´の厚み方向の位置決め部位としている。
【００５１】
尚、先の実施例１においては特に説明しなかったが、図９における基板２６及び押さえ板２３の遮光幕２４の移動面に平行する縁周囲面を光軸Ｏ２と平行方向すなわちシャッタ装置２１の厚み方向の位置決め部位とすることは、実施例１の場合も同様である。
【実施例３】
【００５２】
図１１は、左上に実施例３としての絞りシャッタ装置２１″の完成斜視図を示し、左下から右上に絞りシャッタ装置２１″の分解斜視図を示している。図１１に示すように、本例の絞りシャッタ装置２１″は、光学的開口５１及び第１の遮光幕５２を駆動するための帯状電極５３を有する第１の基板５４、エレクトレットが施された上記第１の遮光幕５２、光学的開口５５を有する仕切り板５６、エレクトレットが施された第２の遮光幕５７、光学的開口５８及び第２の遮光幕５７を駆動するための帯状電極５９を有する第２の基板６１を順次積層して構成されている。
【００５３】
仕切り板５６には、第１及び第２の基板５４及び６１との間に第１及び第２の遮光幕５２及び５７を移動可能に保持できるように間隔を維持するための間隔維持部６２が一体的に設けられている。
【００５４】
更に仕切り板５６には、その四隅に光軸Ｏ２と平行方向に伸びる位置決め用突起６３が設けられている。他方、第１及び第２の基板５４及び６１の四隅には、面取りが施されて位置決め面６４及び６５が形成されている。
【００５５】
これら位置決め面６４及び６５と仕切り板５６に設けられた位置決め用突起８３が係合することにより、第１の基板５４、仕切り板５６、及び第２の基板６１が光軸Ｏ２と直角方向の位置を位置決めされる。
【００５６】
尚、仕切り板５６に設けられた位置決め用突起６３は、本実施例のような円柱形状に限定されるものではなく、また位置決め用突起６３の位置は、四隅に限定されるものではない。また、第１及び第２の基板５４及び６１の位置決め面６４及び６５の形状についても、面取り形状に限定されるものではなく、押さえ板５６の位置決め用突起の形状に合わせた貫通孔あるいは切欠き等であっても差し支えないのは言うまでもない。
【００５７】
また、仕切り板５６の間隔維持部６２に対して、第１及び第２の基板５４及び６１の第１及び第２の遮光幕５２及び５７の移動面に平行し且つ第１及び第２の遮光幕５２及び５７の移動範囲外に位置している縁周囲面が絞りシャッタ装置２１″の厚み方向の位置決め部位となっていることは実施例１又は２の場合と同様である。
【００５８】
尚、上記実施の形態では、小型のデジタルカメラに組み込まれる構成のシャッタ装置について説明したが、これに限ることなく、例えば一眼レフカメラのフォーカルプレーンシャッタにも適用できることは言うまでもない。
【図面の簡単な説明】
【００５９】
【図１】本発明の光量調節装置を搭載したデジタルカメラの概略構成を示す前面からの外観斜視図及びカメラ内部の主要部の配置状態を透視的に示す斜視図である。
【図２】図１の下に示すレンズ装置のＡ−Ａ´矢視断面をデジタルカメラの左方から見てレンズユニット各部の概略の構成を示す図である。
【図３】図１の下に示したレンズ装置をデジタルカメラの背面側から見た拡大斜視図である。
【図４】レンズ装置に組み込まれるシャッタ装置の基本構成を示す分解斜視図である。
【図５】本発明のシャッタ装置（又は絞りシャッタ装置）の駆動原理を説明する図である。
【図６】本発明のシャッタ装置（又は絞りシャッタ装置）に係わるエレクトレットシャッタとその駆動回路を模式的に示す図である。
【図７】エレクトレットシャッタの駆動回路によって生成されて駆動電極に印加される電圧信号列を示す図である。
【図８】エレクトレットシャッタの動作を更に説明する図である。
【図９】左に実施例１としてのシャッタ装置の分解斜視図とその組立治具、右にその組み上がり状態を示している。
【図１０】左上に実施例２としてのシャッタ装置の完成斜視図、中央左下から右上にシャッタ装置の分解斜視図、右にシャッタ装置のＢ−Ｂ´断面拡大矢視図を示している。
【図１１】左上に実施例３としての絞りシャッタ装置の完成斜視図、左下から右上に絞りシャッタ装置の分解斜視図を示している。
【符号の説明】
【００６０】
１      デジタルカメラ
２      撮影レンズ窓
３      ストロボ照射窓
４      レリーズボタン
５      回路基板
６      電池
７      レンズ装置
８      第１の固定鏡枠部
９      第１の固定レンのズ部
Ｏ１    撮影光軸
Ｏ２    第２の光軸
１１    第１の移動鏡枠
１２    第１の移動レンズ部
１３    第２の移動鏡枠
１４    第２の移動レンズ部
１５    第３の移動鏡枠
１６    第３の移動レンズ部
１７    第２の固定鏡枠部
１８    第２の固定レンズ部
１９    撮像素子
２０    シャッタ位置（絞り位置）
２１、２１´、２１″  シャッタ装置（絞りシャッタ装置）
２２    光学的開口
２３    押さえ板
２４    遮光幕
２５    スペーサ
２６    基板
２７    光学的開口
２８    帯状電極
２９    駆動（電圧印加）回路
３１    誘電体（エレクトレット）
３２    パルス発生回路
３３    昇圧回路
３４    位相器
３５    組立治具
３６    位置決めピン
３７    押さえ板
３９    スペーサ
４１    基板
４２    遮光幕の移動面に垂直な内周面
４３    遮光幕の移動面に平行な枠面
４４、４５  遮光幕の移動面に垂直な外周面
４６、４７  縁周囲面
４８    面取り
５１    光学的開口
５２    第１の遮光幕
５３    帯状電極
５４    第１の基板
５５    光学的開口
５６    仕切り板
５７    第２の遮光幕
５８    光学的開口
５９    帯状電極
６１    第２の基板
６２    間隔維持部
６３    位置決め用突起
６４、６５  位置決め面
【図１】
2006038887.tif 000003
【図２】
2006038887.tif 000004
【図３】
2006038887.tif 000005
【図４】
2006038887.tif 000006
【図５】
2006038887.tif 000007
【図６】
2006038887.tif 000008
【図７】
2006038887.tif 000009
【図８】
2006038887.tif 000010
【図９】
2006038887.tif 000011
【図１０】
2006038887.tif 000012
【図１１】
2006038887.tif 000013